(57)【要約】【課題】第２パネル材が第１パネル材から容易に脱落することのない固定クリップの提供。【解決手段】第１パネル材に第２パネル材１６を固定する断面Ｓ字状の固定クリップであって、第１パネル材の通孔付き端部を嵌め込む第１嵌合部１Ａと、第２パネル材の通孔付き端部を嵌め込む第２嵌合部１Ｂとを備え、第１嵌合部と第２嵌合部は、各自の内壁面に対応するパネル材の端部通孔に係止する係止爪４・１０・１１を形成すると共に、第２嵌合部側に第２パネル材に設けられた規制壁１８に係合する係合壁１２を形成することにより、第２パネル材の端部を第２嵌合部に嵌め込んだ場合には、第２嵌合部側の係合壁が第２パネル材側の規制壁に係合して、両者間に捩れる現象を生じさせないので、風の抵抗を受けたり、水の抵抗を受けたりしても、第２パネル材が第１パネル材から脱落してしまうことがない。【選択図】          図５
2004245345.tif 000002
【特許請求の範囲】
【請求項１】
第１パネル材に第２パネル材を固定する断面Ｓ字状の固定クリップであって、第１パネル材の通孔付き端部を嵌め込むＵ字状の第１嵌合部と、第２パネル材の通孔付き端部を嵌め込むＵ字状の第２嵌合部とを備え、上記第１嵌合部と第２嵌合部は、各自の内壁面に対応するパネル材の端部通孔に係止する係止爪を形成すると共に、第２嵌合部側に第２パネル材に設けられた規制壁に係合する係合壁を形成したことを特徴とする固定クリップ。
【請求項２】
係合壁が第２パネル材の端部通孔を中心に左右対称に存在することを特徴とする請求項１記載の固定クリップ。
【請求項３】
係合壁の規制壁に係合する係合面が第２パネル材の端部通孔の中心軸に対して傾斜していることを特徴とする請求項１乃至請求項２のいずれかに記載の固定クリップ。
【請求項４】
第２パネル材から取り外すための取外用把持部を有する請求項１乃至請求項３のいずれかに記載の固定クリップ。
【請求項５】
第２嵌合部の内壁面側にリブ壁を突設したことを特徴とする請求項１乃至請求項４のいずれかに記載の固定クリップ。
【発明の詳細な説明】
【０００１】
【発明の属する技術分野】
本発明は、例えば、自動車のフェンダープロテクタをフェンダーパネルに固定する場合のように、通孔付き端部を有する２枚のパネル材同士を締結固定する固定クリップの改良に関するものである。
【０００２】
【従来の技術】
従来のこの種固定クリップは、具体的には図示しないが、合成樹脂の一体成形品で、全体が断面Ｓ字状を呈して、一方の開口から通孔を有するフェンダーパネルの端部を差し込むと、当該端部通孔に対応する係止爪が係止し、他方の開口から同じく通孔を有するフェンダープロテクタの端部を差し込むと、当該端部通孔に対応する係止爪が係止することにより、フェンダーパネルにフェンダープロテクタを固定できる構成となっている（例えば、特許文献１参照）。
【０００３】
【特許文献１】
特開２００２−１９５２２３号公報
【０００４】
【発明が解決しようとする課題】
従って、従来の固定クリップにあっては、自身のＳ字形状を利用して、フェンダーパネルにフェンダープロテクタを簡単に固定できる利点を有するものではあるが、反面、フェンダープロテクタは可撓性樹脂材料で成形されているため、高速走行中に風の抵抗を受けたり、或いは、水溜りを走行中に水の抵抗を受けたりすると、フェンダープロテクタが撓んで、フェンダープロテクタを嵌め込んだ嵌合部側の開口が開くだけではなく、フェンダープロテクタと固定クリップとが端部通孔を中心に捩れる現象が生じるので、フェンダープロテクタがフェンダーパネルから容易に脱落してしまう恐れがあった。
【０００５】
【課題を解決するための手段】
本発明は、斯かる従来の固定クリップが抱える課題を有効に解決するために開発されたもので、請求項１記載の発明は、第１パネル材に第２パネル材を固定する断面Ｓ字状の固定クリップであって、第１パネル材の通孔付き端部を嵌め込むＵ字状の第１嵌合部と、第２パネル材の通孔付き端部を嵌め込むＵ字状の第２嵌合部とを備え、上記第１嵌合部と第２嵌合部は、各自の内壁面に対応するパネル材の端部通孔に係止する係止爪を形成すると共に、第２嵌合部側に第２パネル材に設けられた規制壁に係合する係合壁を形成する構成を採用した。
【０００６】
請求項２記載の発明は、請求項１を前提として、係合壁が第２パネル材の端部通孔を中心に左右対称に存在する構成を採用した。
【０００７】
請求項３記載の発明は、請求項１乃至請求項２を前提として、係合壁の規制壁に係合する係合面が第２パネル材の端部通孔の中心軸に対して傾斜している構成を採用した。
【０００８】
請求項４記載の発明は、請求項１乃至請求項３を前提として、第２パネル材から取り外すための取外用把持部を有する構成を採用した。
【０００９】
請求項５記載の発明は、請求項１乃至請求項４を前提として、第２嵌合部の内壁面側にリブ壁を突設する構成を採用した。
【００１０】
依って、請求項１記載の発明にあっては、特に、第２パネル材の端部を固定クリップの第２嵌合部に嵌め込んだ場合には、第２嵌合部側に形成されている係合壁が第２パネル材に設けられている規制壁に係合して、両者間に捩れる現象を生じさせないので、例え、風の抵抗を受けたり、水の抵抗を受けたりしても、第２パネル材が第１パネル材から脱落してしまう恐れを有効に解消できる。
【００１１】
請求項２記載の発明にあっては、係合壁が第２パネル材の端部通孔を中心に左右対称に存在するので、固定クリップと第２パネル材との捩れる現象をより確実に防止して、第２パネル材が第１パネル材から脱落してしまうことを完全に解消できる。請求項３記載の発明にあっては、係合壁の係合面が第２パネル材の端部通孔の中心軸に対して傾斜しているので、規制壁と係合する場合には、強固な楔効果が得られる。
【００１２】
請求項４記載の発明にあっては、取外用把持部を有するので、固定クリップ自体を第２パネル材から取り外す場合には、その作業が容易となる。請求項５記載の発明にあっては、第２嵌合部の内壁面にリブ壁が突設されているので、異なる板厚の第２パネル材にも汎用に使用できると共に、ガタをも有効に防止できる。
【００１３】
【発明の実施の形態】
以下、本発明を図示する好適な実施の形態に基づいて詳述すれば、該実施の形態に係る固定クリップも、自動車のフェンダーパネルにフェンダープロテクタを固定するクリップとして開発されたもので、図１に示す如く、全体が断面Ｓ字状に合成樹脂で一体成形されて、フェンダーパネルの通孔付き端部を嵌め込む横Ｕ字状の第１嵌合部１Ａと、フェンダープロテクタの通孔付き端部を嵌め込む横Ｕ字状の第２嵌合部１Ｂとを備える構成となっている。
【００１４】
そして、前者の第１嵌合部１Ａは、図２にも示す如く、共通する基板２と該基板２の一端側から一定の間隔をおいて平行に折り返される下板３とから成り、下板３の内壁面に上記フェンダーパネルの端部通孔に係止する係止爪４を形成すると共に、該係止爪４の両側に薄肉部５を連続して設け、且つ、基板２と下板３の連結部位に係止爪４を内包する開口６を穿設する構成となっている。尚、基板２と下板３の周縁は半袋状に連接されている。
【００１５】
又、後者の第２嵌合部１Ｂは、同じく、共通する基板２と該基板２の他端側から一定の間隔をおいて平行に折り返される上板７とから成り、上板７の中央部にスリット８を介して分離されて横Ｕ字状の開口端側からその奥側に向けて延びる弾性壁片９を設けて、該弾性壁片９の内壁面に１個の係止爪１０を一体に形成すると共に、基板２の対向する内壁面に一対の係止爪１１を一体に形成して、該各係止爪１０・１１をフェンダープロテクタの端部通孔に上下方向から係止させる構成となっている。従って、各係止爪１０・１１をフェンダープロテクタの端部通孔に係止する場合には、弾性壁片９に形成された上側の係止爪１０は端部通孔の中心に位置し、基板２に形成された下側の係止爪１１は、端部通孔において上記係止爪１０の側方に対の関係をもって位置すると共に、上側の係止爪１０と下側の係止爪１１とは、互いに接近して上下方向でオーバーラップする。
【００１６】
更に、第２嵌合部１Ｂに関しては、上板７の開口端寄りの両側縁に後述するフェンダープロテクタ１６の規制壁１８に係合する一対の係合壁１２をフェンダープロテクタの端部通孔を中心として左右対称に形成すると共に、当該各係合壁１２と上板７の境の内壁面に後述するフェンダープロテクタ１６の凹溝１９に係入する一対の細いリブ壁１３を連続して突設し、且つ、上板７の開口端外壁面に取外用把持部１４を一体に立設する構成を採用している。尚、上記係合壁１２の規制壁１８に係合する係合面１２ａには、フェンダープロテクタの端部通孔の中心軸に対して傾斜する形状を積極的に付与するものとする。
【００１７】
これに加えて、基板２と上板７の連結部位にも上記スリット８と連通する開口１５を穿設する構成となっているので、一対の係止爪１１が基板２に形成されていることと相俟って、この開口１５及び該開口１５と反対側に位置することとなる上記第１嵌合部１Ａの開口６とを利用することにより、図２Ａにおいて、金型を左右で２割りにして固定クリップを成形できるので、金型構造がシンプルとなる。
【００１８】
他方、本実施の形態で使用されるフェンダープロテクタ１６は、図３に示す如く、長孔状を呈する通孔１７を挟んだ端部１６ａの両側に上記した係合壁１２と係合する一対の規制壁１８を一体に設けると共に、該各規制壁１８と端部通孔１７の間に上記したリブ壁１３を係入する凹溝１９を設けるものとする。又、各規制壁１８の係合壁１２に係合する係合面１８ａにも、係合壁１２と同様、係合面１２ａと平行で且つフェンダープロテクタ１６の端部通孔１７の中心軸に対して傾斜する形状を積極的に付与して、両係合面１２ａ・１８ａ同士が係合した状態においては、楔効果を伴って係合させる構成となっている。
尚、フェンダーパネル２０に関しては、具体的には図示しないが、従来と同様に、端部２０ａに丸孔状の通孔２１を穿設したものを使用するものとする。
【００１９】
依って、本実施の形態に係る固定クリップを用いて、フェンダーパネル２０にフェンダープロテクタ１６を固定する場合には、まず、最初に、図４に示す如く、フェンダープロテクタ１６の通孔１７付き端部１６ａを第２嵌合部１Ｂの内側に嵌め込むと、各係止爪１０・１１のテーパー面のガイドを得て、スムーズに嵌め込まれることとなるが、この時には、上板７を押し広げながら、オーバーラップしている上側の係止爪１０と下側の係止爪１１とがフェンダープロテクタ１６の端部通孔１７に上下方向から同時に係止するので、これにより、固定クリップが抜け外れることなくフェンダープロテクタ１６側に簡単且つ確実強固に取り付けられる。
【００２０】
しかも、この固定クリップのフェンダープロテクタ１６に対する取付状態にあっては、上板７側のリブ壁１３がフェンダープロテクタ１６側の凹溝１９に係入する状態を得て、図５に示す如く、上板７側に形成された一対の係合壁１２が、フェンダープロテクタ１６側に設けられた対応する規制壁１８を弾性的に乗り越えて、中心軸に対して傾斜する係合面１２ａと１８ａとが対向して係合するので、楔効果が十分に期待でき、容易にその係合が解除されることはない。特に、上板７にリブ壁１３を突設したことは、異なる板厚のフェンダープロテクタ１６にも汎用に使用できると共に、ガタをも効果的に防止できる。
【００２１】
そこで、今度は、図６に示す如く、フェンダーパネル２０の通孔２１付き端部２０ａを第１嵌合部１Ａの内側に逆方向から嵌め込むと、やはり、下板３の大きく湾曲した自由端部のガイドを得て、嵌め込まれることとなるので、これにより、フェンダープロテクタ１６がフェンダーパネル２０に確実に固定されることとなる。尚、この場合にも、フェンダーパネル２０の端部通孔２１に係止爪４が係止しているので、固定クリップがフェンダーパネル２０から抜け外れる心配がない。
【００２２】
従って、本実施の形態にあっては、既述した如く、フェンダープロテクタ１６の端部通孔１７に上下から３個の係止爪１０・１１の夫々がオーバーラップしながら係止することに加えて、上板７側の係合壁１２がフェンダープロテクタ１６側の規制壁１８に楔効果を伴って係合することとなるので、例え、高速走行中に風の抵抗を受けたり、或いは、水溜りを走行中に水の抵抗を受けて、フェンダープロテクタ１６が複雑に撓んだとしても、固定クリップとフェンダープロテクタ１６がその端部通孔１７を中心に捩れる現象を生じることがなくなって、フェンダープロテクタ１６がフェンダーパネル２０から不用意に脱落することが有効に防止できる訳である。
【００２３】
又、フェンダーパネル２０から固定クリップを取り外す場合には、下板３の自由端部側からドライバー等の工具先端を差し込んで、下板３を外側に開いて、固定クリップを引き抜くこととなるが、この場合には、係止爪４の両側に薄肉部５が形成されているので、係止爪４が容易に撓み、取付状態を解除し易くなって、固定クリップ自体の脱着が頗る容易となる。
【００２４】
更に、その後、フェンダープロテクタ１６から固定クリップ自体を取り外す必要が生じたような場合には、上板７に立設されている取外用把持部１４を把持しながら、上側の係止爪１０を形成した弾性壁片９の自由端部を上方に持ち上げると、上側の係止爪１０と下側の係止爪１１とのオーバーラップ状態が解消できるので、これにより、フェンダープロテクタ１６を固定クリップの第２嵌合部１Ｂから引き抜くことが可能となるので、その取外作業が容易となる。
【００２５】
【発明の効果】
以上の如く、本発明は、上記構成の採用により、特に、第２パネル材の端部を固定クリップの第２嵌合部に嵌め込んだ場合には、第２嵌合部側に形成されている係合壁が第２パネル材に設けられている規制壁に係合して、両者間に捩れる現象を生じさせないので、例え、風の抵抗を受けたり、水の抵抗を受けたりしても、第２パネル材が第１パネル材から脱落してしまう恐れを有効に解消できる。
【図面の簡単な説明】
【図１】（Ａ）（Ｂ）は本発明の実施の形態に係る固定クリップを表側及び裏側から示す斜視図である。
【図２】（Ａ）は図１ＡのＡ−Ａ断面図、（Ｂ）は図１ＡのＢ−Ｂ断面図である。
【図３】（Ａ）はフェンダープロテクタ側の構造を示す要部斜視図、（Ｂ）は図３ＡのＣ−Ｃ断面図である。
【図４】固定クリップをフェンダープロテクタに取り付けた状態を示す要部断面図である。
【図５】係合壁が規制壁に係合した状態を示す要部断面図である。
【図６】固定クリップを用いてフェンダーパネルの端部にフェンダープロテクタの端部を固定した状態を示す要部断面図である。
【符号の説明】
１Ａ    第１嵌合部
１Ｂ    第２嵌合部
２      基板
３      下板
４      係止爪
５      薄肉部
６      開口
７      上板
８      スリット
９      弾性壁片
１０    係止爪
１１    係止爪
１２    係合壁
１２ａ  係合面
１３    リブ壁
１４    取外用把持部
１５    開口
１６    フェンダープロテクタ（第２パネル材）
１６ａ  端部
１７    通孔
１８    規制壁
１８ａ  係合面
１９    凹溝
２０    フェンダーパネル（第１パネル材）
２０ａ  端部
２１    通孔
【図１】
2004245345.tif 000003
【図２】
2004245345.tif 000004
【図３】
2004245345.tif 000005
【図４】
2004245345.tif 000006
【図５】
2004245345.tif 000007
【図６】
2004245345.tif 000008